(57)【要約】【課題】エネルギーロスを小さくし、メインモータの容量を不要に大きくしなくてすむ機械プレスにおける湿式クラッチブレーキの冷却油量制御装置を提供する。【解決手段】クラッチ機構１５とブレーキ機構２０からなる湿式クラッチブレーキを備えた機械プレスにおいて、クラッチ機構１５の摩擦部およびブレーキ機構２０の摩擦部に冷却油を供給する冷却油路３４と、冷却油路３４に接続された冷却油供給源と、冷却油路３４に介装された冷却油の流量を変更する流量制御部とを備えている。流量制御部は、冷却油の通過と遮断を切替える第１開閉弁５４と、第１開閉弁５４に並行に接続された絞り５５とからなる。冷却油供給源は、タンク５１と油圧ポンプ５２とポンプ駆動用のモータ５３とからなる。冷却油路３４にはクーラー５６が介装されている。冷却油の流量を絞るとプレス停止時のフライホイール回転によるドラッグトルクは低減する。【選択図】図１
2011038615.tif 000002
【特許請求の範囲】
【請求項１】
外部駆動源にクランク軸を接続・切断するクラッチ機構と、該クランク軸を制動・解放するブレーキ機構を備え、前記クラッチ機構と前記クラッチ機構が摩擦板部に油膜形成させる湿式クラッチブレーキを備えた機械プレスにおいて、
前記クラッチ機構の摩擦板部および前記ブレーキ機構の摩擦板部に冷却油を供給する冷却油路と、
該冷却油路に接続された冷却油供給源と、
前記冷却油路に介装された冷却油の流量を変更する流量制御部とを備えている
ことを特徴とする機械プレスにおける湿式クラッチブレーキの冷却油量制御装置。
【請求項２】
前記冷却油供給源は冷却油の吐出量を変更できる吐出量可変型であり、
前記流量制御部が、前記冷却油源の冷却油吐出量を調整するコントローラからなる
ことを特徴とする請求項１記載の機械プレスにおける湿式クラッチブレーキの冷却油量制御装置。
【請求項３】
前記冷却油供給源は、冷却油の吐出量が一定の吐出量固定型であり、
前記流量制御部が、冷却油の通過と遮断を切替える第１開閉弁と、該第１開閉弁に並列に接続された絞りからなる
ことを特徴とする請求項１記載の機械プレスにおける湿式クラッチブレーキの冷却油量制御装置。
【請求項４】
前記冷却油供給源は、冷却油の吐出量を変更できる吐出量可変型であり、
前記流量制御部が、冷却油の通過と遮断を切替える第１開閉弁と、該第１開閉弁に並列に接続された絞りからなる
ことを特徴とする請求項１記載の機械プレスにおける湿式クラッチブレーキの冷却油量制御装置。
【請求項５】
前記冷却油供給源は、冷却油の吐出量が一定の吐出量固定型であり、
前記流量制御部が、冷却油の通過と遮断を切替える第１開閉弁からなる
ことを特徴とする請求項１記載の機械プレスにおける湿式クラッチブレーキの冷却油量制御装置。
【請求項６】
前記冷却油路にクーラーが介装されており、
該クーラーには冷却水給排路が接続され、
該冷却水給排路には、冷却水の供給と遮断を切替える第２開閉弁が介装されている
ことを特徴とする請求項１，２，３，４または５記載の機械プレスにおける湿式クラッチブレーキの冷却油量制御装置。
【発明の詳細な説明】
【技術分野】
【０００１】
本発明は、機械プレスにおける湿式クラッチブレーキの冷却油量制御装置に関する。機械プレスでは、外部動力源であるメインモータの動力をクランク軸を介してスライドに伝達・遮断するためのクラッチブレーキ装置が設けられている。クラッチブレーキ装置には、乾式と湿式があり、本発明は機械プレスにおける湿式クラッチブレーキの冷却油量制御装置に関する。
【背景技術】
【０００２】
湿式クラッチブレーキに関する従来技術として、特許文献１の技術がある。特許文献１の従来技術は、機械プレスに湿式クラッチブレーキを用いたもので、クランク軸とフライホイール側の駆動軸との間にクラッチとブレーキを設けており、クラッチとブレーキは、その摩擦板部に油膜を形成させる構造のものである。それゆえ、湿式と称される。このような機械プレスでは、メインモータで回転されるフライホイールとクランク軸との間をクラッチで接続して、スライドの昇降を行わせ、かつブレーキで制動してスライドを上死点で停止させるようにしている。
この湿式クラッチブレーキは、油のせん断抵抗力を利用するので、摩擦面の摩耗がほとんどなく、高速にできる等の利点がある。
【０００３】
ところで、機械プレスでは、起動と停止を繰り返して鍛造品を生産する。つまり、クラッチを接続してクランク軸を回してスライドを下降させ、下死点で素材を成形した後、上昇し上死点で停止させる。
このプレス動作の１サイクルの間に、クランク軸の回転数がクラッチ接続時の停止状態（０ｒｐｍ）から定格回転（３０〜６０ｒｐｍ）まで上昇するため、クラッチ面に滑りによる熱が発生する。
また、回転しているクランク軸をプレス上死点で停止させるときは、ブレーキをかけるので、スライドを含めた従動部系の運動エネルギーが熱に変換され、やはり発熱する。
【０００４】
このように発熱量が多いことから、湿式クラッチブレーキには冷却油を供給して、冷却することが必要となる。
この場合の冷却油の油量は、プレス運転中に発生する熱をクラッチやブレーキの摩擦板から奪って焼付等のトラブルが発生しないような大流量に設定されている。
【０００５】
図９は上記従来技術におけるプレス動作の説明図である。（Ａ）図はメインモータの回転数の変化を示しており、いったん回転を立ち上げると、定格回転数での回転を続け、最後に回転を停止させている。このようにメインモータは１日の作業の始めに起動すると、数時間は停止することがない。そして、（Ｂ）図に示すように、メインモータが継続して回転している間に、プレス作業が行われるが、プレスはこの間に、実際に作業する運転中の時間があったり作業中止をする停止中の時間がある。符号Ｄはプレスが運転中のスライドの上下動作を示しており、符号Ｓは停止中を示している。（Ｃ）図は上記した冷却油の流量変化を示すものであるが、図示するように、メインモータの起動前から大流量の冷却油を流し始め、メインモータが停止した後に冷却油の供給を止めるようにしており、この間の流量はずっと一定であった。
【０００６】
このような機械プレスにおいて、メインモータが起動しフライホイールが回転しているが、スライドが上死点で停止している間、つまり図７（Ｂ）の停止中Ｓの間は、クラッチブレーキ内の回転側の摩擦板と静止側の摩擦板との間で冷却油のせん断抵抗が大きくなっている。これをドラッグトルクという。このドラッグトルクに関して、特許文献１の従来技術は、全く問題点として認識していなかった。
【０００７】
上記のドラッグトルクは、気温の低いときなどは冷却油の温度も低いので、ドラッグトルクはさらに高くなる。その絶対値は冷却油量によって変動するが、冷却温度が１０℃低いと、ドラッグトルクは倍増することもある。したがって、気温の低いときはフライホイールをフル回転させるまでの時間が長くなったり、エネルギーロスも増大する。
このドラッグトルクが大きいことは、エネルギーロスが大きいことを意味するので、プレス駆動用のメインモータの容量も本来必要とされる以上に大きくなってしまう。
【先行技術文献】
【特許文献】
【０００８】
【特許文献１】特開平１０−３０５４００
【発明の概要】
【発明が解決しようとする課題】
【０００９】
本発明は上記事情に鑑み、エネルギーロスを小さくし、メインモータの容量を不要に大きくしなくてすむ機械プレスにおける湿式クラッチブレーキの冷却油量制御装置を提供することを目的とする。
【課題を解決するための手段】
【００１０】
第１発明の機械プレスにおける湿式クラッチブレーキの冷却油量制御装置は、外部駆動源にクランク軸を接続・切断するクラッチ機構と、該クランク軸を制動・解放するブレーキ機構を備え、前記クラッチ機構と前記クラッチ機構が摩擦板部に油膜形成させる湿式クラッチブレーキを備えた機械プレスにおいて、前記クラッチ機構の摩擦板部および前記ブレーキ機構の摩擦板部に冷却油を供給する冷却油路と、該冷却油路に接続された冷却油供給源と、前記冷却油路に介装された冷却油の流量を変更する流量制御部とを備えていることを特徴とする。
第２発明の機械プレスにおける湿式クラッチブレーキの冷却油量制御装置は、第１発明において、前記冷却油供給源は冷却油の吐出量を変更できる吐出量可変型であり、前記流量制御部が、前記冷却油源の冷却油吐出量を調整するコントローラからなることを特徴とする。
第３発明の機械プレスにおける湿式クラッチブレーキの冷却油量制御装置は、第１発明において、前記冷却油供給源は、冷却油の吐出量が一定の吐出量固定型であり、前記流量制御部が、冷却油の通過と遮断を切替える第１開閉弁と、該第１開閉弁に並列に接続された絞りからなることを特徴とする。
第４発明の機械プレスにおける湿式クラッチブレーキの冷却油量制御装置は、第１発明において、前記冷却油供給源は、冷却油の吐出量を変更できる吐出量可変型であり、
前記流量制御部が、冷却油の通過と遮断を切替える第１開閉弁と、該第１開閉弁に並列に接続された絞りからなることを特徴とする。
第５発明の機械プレスにおける湿式クラッチブレーキの冷却油量制御装置は、第１発明において、前記冷却油供給源は、冷却油の吐出量が一定の吐出量固定型であり、前記流量制御部が、冷却油の通過と遮断を切替える第１開閉弁からなることを特徴とする。
第６発明の機械プレスにおける湿式クラッチブレーキの冷却油量制御装置は、第１，２，３，４または第５発明において、前記冷却油路にクーラーが介装されており、該クーラーには冷却水給排路が接続され、該冷却水給排路には、冷却水の供給と遮断を切替える第２開閉弁が介装されていることを特徴とする。
【発明の効果】
【００１１】
第１発明によれば、プレスの通常運転中は流量制御部によって、冷却油量を冷却に必要な油量に設定して効果的に冷却を行わせ、プレスの停止中は冷却油量を必要最小限にすることで、ドラッグトルクを低減できる。このため、エネルギーロスは小さくなり外部駆動源の容量を必要以上に大きくしなくてよくなる。
第２発明によれば、コントローラによって冷却油供給源の冷却油吐出量を増減できるので、プレス運転中は冷却油供給量を多くして冷却効果を高くし、プレス停止中は冷却油供給量を減少させたり供給停止することで、プレス運転停止中のドラッグトルクを低減できる。
第３発明によれば、第１開閉弁を開位置にすることで冷却油の供給量を大流量にし、第１開閉弁を閉位置として絞りを通すことで冷却油の供給量を小流量に制限できる。このため、プレス運転中は冷却油供給量を多くして冷却効果を高くし、プレスの運転停止中には冷却油を小流量にすることで、ドラッグトルクを低減でき、かつ必要最小限の冷却を行うことができる。
第４発明によれば、第１開閉弁の開閉位置の選択と冷却油供給源の吐出量の加減により冷却油供給量を大小に調整できる。そして、プレス運転中は冷却量を多くして冷却効果を高くし、プレスの運転停止時には冷却油を小流量にすることで、ドラッグトルクを低減し、かつ必要最小限の冷却を行わせることができる。
第５発明によれば、第１開閉弁を開位置にして冷却油を供給すると、高い冷却効果を発揮でき、第１開閉弁を閉位置にして、冷却油量の供給を止めると、供給済みの冷却油が閉じ込められ、それ以上に流量が増えないので、プレス運転停止中のドラッグトルクが大きくなることはない。
第６発明によれば、第２開閉弁を閉位置にするとクーラーへの冷却水が止まるので、プレス運転停止中等における冷却油の過冷を防止できる。
【図面の簡単な説明】
【００１２】
【図１】本発明の第１実施形態における湿式クラッチブレーキの冷却油量制御装置の油圧回路図である。
【図２】第１実施形態の冷却油量制御装置において冷却油量の供給を制限した状態の油圧回路図である。
【図３】本発明の第２実施形態における湿式クラッチブレーキの冷却油量制御装置の油圧回路図である。
【図４】第２実施形態の冷却油量制御装置において冷却油量の供給を制限した状態の油圧回路図である。
【図５】本発明の冷却油量制御装置における冷却油供給量の説明図である。
【図６】本発明が適用される機械プレスの湿式のクラッチブレーキまわりの断面図である。
【図７】スライド停止時におけるフライホイール系駆動部の回転動作説明図である。
【図８】湿式のクラッチブレーキにおけるドラッグトルクの説明図である。
【図９】従来技術におけるドラッグトルクの問題点の説明図である。
【発明を実施するための形態】
【００１３】
つぎに、本発明の実施形態を図面に基づき説明する。
まず、本発明が適用される機械プレスにおける湿式クラッチブレーキの一例を図６に基づき説明する。
符号Ａは機械プレスのクランク軸、Ｂは駆動軸であり、この駆動軸Ｂと前記クランク軸Ａとは遊星歯車減速機Ｃを介して連結されている。Ｄはプレスフレームに取付けられた固定部材である。
【００１４】
前記固定部材Ｄの外周には、フライホイールＦが、ベアリング４１を介して回転可能に取付けられている。また、フライホイールＦにはベルト車Ｅが同軸に固定されており、外部駆動源であるメインモータで回転されるようになっている。そして、このベルト車Ｅと駆動軸Ｂとの間には、両者を接続・切断し制動・解放する湿式クラッチブレーキ１０が設けられている。
【００１５】
前記湿式クラッチブレーキ１０は、クラッチ機構１５、ブレーキ機構２０、クラッチシリンダ２５からなる。
このクラッチシリンダ２５には、駆動軸Ｂ内に形成した油路28aと、駆動軸Ｂの先端に取付けたロータリジョイント２９を経て作動油が供給されるようになっている。また、このロータリジョイント２９は、外部の油圧源に油路３２で接続されている。
【００１６】
前記クラッチ機構１５は、ベルト車Ｅ側に連結されたクラッチハウジング１６と駆動軸Ｂにキー等で固定されたクラッチボス１７とを有しており、クラッチハウジング１６にスプライン結合した摩擦板１８とクラッチボス１７にスプライン結合した摩擦板１８が交互に重ね合わされている。
前記ブレーキ機構２０は、プレスの固定部材Ｄに連結されたブレーキハウジング２１と駆動軸Ｂにキー等で固定されたブレーキボス２２とを有しており、ブレーキハウジング２１にスプライン結合した摩擦板２３とブレーキボス２２にスプライン結合した摩擦板２３が交互に重ね合わされている。
【００１７】
前記摩擦板１８と前記摩擦板２３には、駆動軸Ｂ内に形成した油路28bと前記ロータリジョイント２９を経て冷却油が供給されるようになっている。また、ロータリジョイント２９には外部の冷却油供給源に接続された冷却油路３４を経て冷却油が供給されるようになっている。
【００１８】
クラッチシリンダ２５は、ピストン２６と油室２７とで構成されている。
ピストン２６は前記駆動軸Ｂの軸方向において、前記クラッチ機構１５と、前記ブレーキ機構２０との間に設けられている。このピストン２６とブレーキボス２２側との間には、液密に密閉された油室２７が形成されており、この油室２７は、前記油路28aを介して作動油が供給されるようになっている。
一方、前記ピストン２６とクラッチボス１７との間には、ブレーキバネ２４が配設されている。このブレーキバネ２４はピストン２６を常時ブレーキ機構２０側に押し付け、ブレーキを効かせるものである。
【００１９】
上記湿式クラッチブレーキ１０のクラッチ動作とブレーキ動作は、つぎのとおりである。
クラッチシリンダ２５の油室２７に油が供給されていない状態では、ピストン２６はブレーキバネ２４によって図中左方に向かって付勢される。このとき、ブレーキ機構２０の摩擦板２３は互いに密着してブレーキが効き、クラッチ機構１５の摩擦板１８は互いに離間してクラッチが切れた状態となる。すると、駆動軸Ｂもクランク軸Ａも回転を停止する。この状態を、フルブレーキという。なお、フルブレーキには至らないが、ある程度ブレーキが効く状態を、半ブレーキという。
【００２０】
逆に、クラッチシリンダ２５の油室２７に作動油を供給すると、ピストン２６は油室２７内の油圧によって図中右方に向かって付勢される。つまり、ブレーキバネ２４を圧縮しつつ、ブレーキ機構２０の摩擦板２３は互いに離間してブレーキが解放され、クラッチ機構１５の摩擦板１８は互いに密着してクラッチが接続した状態となる。
すると、駆動軸Ｂはベルト車Ｅからの動力を受けて回転し、その回転が遊星歯車減速機Ｃを介してクランク軸Ａに伝えられるので、クランク軸Ａが起動回転する。この状態を、フルクラッチという。なお、フルクラッチには至らないが、ある程度クラッチが接続している状態を半クラッチという。
【００２１】
以上のように、湿式クラッチブレーキ１０は、クラッチシリンダ２５の油室２７への作動油の給排ならびに供給圧力を制御することにより、クランク軸Ａに対する接続・切断とクランク軸Ａの制動、解放を制御することができる。また、クラッチの半接続（つまり、半クラッチ）もブレーキの半制動（つまり、半ブレーキ）も制御することができ、さらに、半クラッチおよび半ブレーキの程度も連続的に変えることができる。
【００２２】
つぎに、上記湿式クラッチブレーキ１０を制御するための油圧制御装置を説明する。
図１に示すクラッチ機構１５、ブレーキ機構２０、クラッチシリンダ２５は、図６で解説したものである。
このクラッチシリンダ２５の油室２７には、油圧源３１から作動油が既述の油路３２を介して供給されるようになっている。３３はタンクである。
Ｖ１は電磁駆動型サーボ制御弁（以下、サーボ制御弁という）であって、前記油路３２に介装されている。
【００２３】
前記サーボ制御弁Ｖ１は、４ポート３位置の方向制御弁であって、スプリングセンタ付勢電磁駆動型の高速リニアサーボ弁である。
このサーボ制御弁Ｖ１は、給排時の作動油圧力を制御する圧力制御サーボ弁であり、現在圧力と目標圧力との圧力差（圧力偏差）の大小に比例して弁開度が大小に変わるものである。したがって、制御用指令信号の電圧偏差が大きいと弁開度が大きくなってクラッチシリンダ２５への作動油供給量が多く、あるいは、電圧偏差がマイナス側に大きいと排出量が多くなるので、クラッチシリンダ２５の伸縮動作が速くなる。反対に制御用指令信号の電圧偏差が小さいと弁開度が小さくなってクラッチシリンダ２５への作動油供給量が少なく、あるいは電圧偏差がマイナス側に小さいと排出量が小さくなるので、クラッチシリンダ２５への伸縮動作が遅くなる。もちろん、大きい電圧偏差と小さい電圧偏差の間で連続的に変えると、その電圧偏差に比例した弁開度となるので、クラッチシリンダ２５の伸縮動作を早くも遅くも変えることができる。
なお、圧力が電流に変換される場合は、制御用指令信号は電流となり、電流偏差の大小で開閉制御するサーボ制御弁を用いてもよい。
【００２４】
図示の状態のサーボ制御弁Ｖ１は、供給位置Ｉであるので、油圧源３１がクラッチシリンダ２５の油室２７に連通され、油室２７に作動油が供給され、ピストン２６が右方向へ動き、ブレーキバネ２４の圧縮力に抗してクラッチを接続し、ブレーキを解除している。
サーボ制御弁Ｖ１が排出位置IIへ切換えると、タンク３３にクラッチシリンダ２５の油室２７が連通して、油室２７から作動油が排出され、ブレーキバネ２４の圧縮力によってピストン２６が左方向へ動き、ブレーキを作動させ、クラッチを切断する。
サーボ制御弁Ｖ１が中立位置IIIとなると、全てのポートがブロックされ、クラッチシリンダ２５内の油室２７から作動油が排出されず、油室２７は一定圧に保たれる。
上記の供給位置Ｉへの切換え、また、排出位置IIへの切換えにより、クラッチ機構１５の接続切断およびブレーキ機構２０の制動解除を制御でき、このクラッチブレーキの動作によって、クランク軸Ａを回転停止させ、スライドＳを昇降停止させることができる。
【００２５】
図７はクランク軸およびスライドを停止させ、メインモータが回転している状態を示している。この状態では、メインモータの動力が伝わっているベルト車Ｅが回転し、このベルト車Ｅと共にフライホイールＦやクラッチハウジング１６が回転している。この回転している部材をアミカケ表示で示している。
【００２６】
この状態では、図８に示すように、クラッチ機構１５内でドラッグトルクＤｔが発生している。すなわち、クラッチハウジング１６のスプライン16gには摩擦板18aの歯18ｇが噛み合っており、クラッチボス１７のスプライン17gには摩擦板18bの歯18gが噛み合っている。そして、クラッチハウジング１６側の摩擦板18aが回転し、クラッチボス１７側の摩擦板18bが静止している状態で、各摩擦板18a,18bの間には冷却油ＯＬが入っている。このため冷却油ＯＬにせん断抵抗が発生し、ドラッグトルクＤｔが発生する。
【００２７】
図７に戻って説明すると、上記した冷却油ＯＬは、外部の冷却油路３４および駆動軸Ｂ内の油路28bを介してクラッチ機構１５の各摩擦板１８の間、ブレーキ機構２０の各摩擦板２３との間に供給されているが、さらに、フライホイールＦを支持するベアリング４１の潤滑用としても供給されている。すなわち、前記摩擦板部１８，２３の外周に油溜り３７が形成されており、ベアリング４１の支持部材（プレスフレームの固定部材Ｄ）とフライホイールＦの間には油溜り４２が形成されている。そして、油溜り３７の一端は固定部材Ｄに形成された排油路３８につながり、他端はベルト車Ｅとの間の隙間を通じて油溜り４２につながり、さらに排油路４３につながっている。
【００２８】
前記クラッチ機構１５とブレーキ機構２０の各摩擦板部１８，２３に供給された冷却油は、これを冷却した後、いったん油溜り３７に貯えられて排油路３８を通じて、外部の帰還油路３９へ返される。
また、油溜り３７から油溜り４２に入ってきた冷却油は、ベアリング４１を潤滑したあと、排油路４３を介して、外部の帰還油路３９へ返されるようになっている。
【００２９】
上記のように、図６および図７に示すプレスでは、クラッチブレーキ１０用の冷却油をフライホイールＦのベアリング４１用の潤滑にも流用しているが、ベアリング４１用の潤滑は別の潤滑システムを用い、クラッチブレーキ１０の冷却は専用システムとしたものも本発明に含まれる。
【００３０】
つぎに、本発明の冷却油制御装置の各実施形態を説明する。
（第１実施形態）
図１および図２に基づき、第１実施形態の冷却油制御装置を説明する。
図１に示すクラッチ機構１５、ブレーキ機構２０、油溜り３７、排油路３８，４３は図６および図７で説明したものである。既述のごとく、冷却油路３４から供給された冷却油は駆動軸内の油路28bを通って、クラッチ機構１５とブレーキ機構２０の各摩擦板を冷却し、さらにフライホイールＦのベアリングを潤滑したあと、排油路３８，４３を介して、外部の帰還油路３９へ排出されるようになっている。
【００３１】
供給用の冷却油路３４と排出用の帰還油路３９は共にタンク５１に接続されている。
冷却油路３４には、冷却油供給用の油圧ポンプ５２が介装され、油圧ポンプ５２にはモータ５３が接続されている。この油圧ポンプ５２とモータ５３によって、特許請求の範囲にいう冷却油供給源が構成されている。
本実施形態のモータ５３には回転数可変型のインバータモータなどを用い、インバータ制御回路を組込んだコントローラで制御することによって回転数が任意に変えられるようにしたものが用いられる。この構成により、油圧ポンプ５２は吐出量可変型となる。
【００３２】
前記コントローラ５０は、コンピュータ等で構成されており、プレスの運転停止の別や、冷却油温あるいは外気温に基づいてモータ５３の回転数を変える機能を有している。つまり、コントローラ５０は特許請求の範囲にいう流量制御部である。
このコントローラ５０からの指令に基づき、プレスの運転中はモータ５３の回転数を高くし、プレスの停止中はモータ５３の回転数は低くされている。このように、モータ５３の回転数が高いときの油圧ポンプ５２の吐出量は、クラッチブレーキ１０の冷却に必要な油量に設定され、モータ５３の回転数が低いときの油圧ポンプ５２の吐出量は、ドラッグトルクを充分低くでき、かつフライホイールＦを支持するベアリング４１の潤滑ができる油量に設定されている。
【００３３】
前記冷却油路３４における油圧ポンプ５２と第１開閉弁５４の間には、クーラー５６が介装されている。このクーラー５６には、ポンプ５７で冷却水が供給されるようになっている。冷却水の帰還路には第２開閉弁５８が介装されて、冷却水の循環と停止を選択できるようにしている。この第２開閉弁５８は、常時は開位置Ｉにしておいて、クーラー５６で冷却油を冷却して用いるが、プレス停止中には閉位置IIとして冷えすぎないようにすることができる。
【００３４】
つぎに、第１実施形態の冷却油路制御装置の使用方法を説明する。
図１はプレス運転中を示している。つまり、サーボ制御弁Ｖ１が開位置Ｉにあって、クラッチが効きブレーキが解放されて、クランク軸Ａの回転とスライドＳの上下動が繰返されている状態である。実際のプレス動作では、サーボ制御弁Ｖ１がＩ位置とII位置の間で繰り返し切り換えられ、スライドの下降上昇と上死点停止が繰返されるが、この繰返し動作が継続している状態を、本明細書ではプレス運転中といい、ある程度の長い時間停止したままでいる状態をプレス停止中という言葉で説明する。
【００３５】
図１に示すようなプレス運転中では、油圧ポンプ５２が冷却油を吐出し、冷却油はクーラー５６で冷却され、プレス内のクラッチ機構１５とブレーキ機構２０の摩擦板部に供給される。そして、各摩擦板１８，２３（図７参照）を冷却し、ベアリング４１（図７参照）を潤滑したあと帰還油路３９を通ってタンク５１に返されてくる。
【００３６】
図５は本発明による冷却油供給制御の要領を示している。（Ａ）図はメインモータの回転数変化を示しており、（Ｂ）図はプレスの運転中（符号Ｄ）と停止中（符号Ｓ）を示しており、（Ｃ）図は冷却油の供給量変化を示している。
図１のプレス運転中では、図５に示すように、プレス運転中（（Ｂ）図の符号Ｄ）に対応する間は冷却油量が大流量になっている（（Ｃ）図の符号Ｈ参照）。
このように、大流量の冷却油で冷却と潤滑が行われるので、プレスは正常に運転を続けることができる。
【００３７】
上記のように、冷却油を大流量で流しているときは、第２開閉弁５８を開位置Ｉとして、クーラー５６へ冷却水を供給しておくと、冷却油自体の温度を下げることができ、能率よくクラッチ機構１５とブレーキ機構２０の冷却を行うことができる。
【００３８】
図２はプレス停止中を示している。このプレス停止中では、コントローラ５０によって油圧ポンプ５２からの冷却油を吐出量は小流量に変更されている。すなわち、プレス停止中（（Ｂ）図のＳ）に対応する間では冷却油量が小流量になっている状態（（Ｃ）図の符号Ｌ参照）である。
【００３９】
この状態では図７に示すようにクラッチ機構１５では、回転を続けているフライホイールＦとベルト車Ｅにつながる摩擦板１８と停止している駆動軸側の摩擦板１８との間で、図８に示すドラッグトルクＤｔが発生している状態であるが、冷却油の供給量は少量となっているので、ドラッグトルクＤｔが生じても、わずかでしかない。また、摩擦板の冷却を終えた冷却油の一部はフライホイールＦを支持するベアリング４１の潤滑のため流れ出て行く。
【００４０】
上記のように、冷却油を小量しか供給してないときは、第２開閉弁５８を閉位置IIとしておけば、クーラー５６への冷却水の供給が止められるので、冷却油の過冷を防止することができる。この第２開閉弁５８の開閉制御は、冷却油温を温度センサで検出し、自動的に開閉するようにしてもよい。
【００４１】
上記のように油圧ポンプ５２の吐出量を調整できるので、外気温の変動等に合わせて自動的に必要な冷却油量を確保し、また逆に制限できる。すなわち、既述のコントローラ５０に冷却油温の検出値を入力し、冷却油温が低いときは粘度が高いため更に油圧ポンプ５２の吐出量を絞ってドラッグトルクを低減し、冷却油温が高いときは油圧ポンプ５２の吐出量を増やして、高い冷却能率を得るよう自動制御することができる。
【００４２】
上記のように、第１実施形態の冷却油量制御装置では、図５に示すように、メインモータが回転中であったとしても、プレスの運転中と停止中に場合分けして、冷却油量を大小に変更するので、プレス停止中のドラッグトルクはさほど生じないのである。なお、フライホイールＦを支持するベアリング４１に独立した潤滑システムを用いる構成では、プレス停止中には冷却油の供給を停止してもよい。
このように、本実施形態では、プレス停止中のドラッグトルクが小さくなることから、無駄なエネルギーロスが生じないので、メインモータの容量を小さくして、設備をコンパクトにすることができる。また、フライホイールＦをフル回転させるまでの時間も短くできる。
【００４３】
（第２実施形態）
図３および図４に基づき、第２実施形態の冷却油量制御装置を説明する。
本実施形態において、第１実施形態と同一部材については、図１および図２と同一符号を付して説明を省略する。
【００４４】
本実施形態における冷却油供給源は吐出量固定型である。すなわち、モータ５３は回転数固定型であり、油圧ポンプ５２は吐出量固定型である。回転数を可変に制御するためのコントローラ５０は不要である。
【００４５】
前記冷却油路３４には、第１開閉弁５４と絞り５５が並列に介装されている。この第１開閉弁５４と絞り５５で特許請求の範囲にいう流量制御部が構成されている。
第１開閉弁５４は、電磁駆動型であり、Ｉ位置が開、II位置が閉の２位置型方向制御弁である。
絞り５５は可変絞り型の絞りであり、冷却油の流量を絞って通過させるようになっている。また、絞り量を手動で調整して、流量を多少増減することが可能となっている。
【００４６】
第１開閉弁５４が開位置Ｉのときは、冷却油の大部分の流量が第１開閉弁５４を通ってクラッチ機構１５とブレーキ機構２０の各摩擦板部に供給される。このときの流量は、油圧ポンプ５２の吐出量の全量である大流量が流される。
第１開閉弁５４が閉位置IIのときは、冷却油は絞り５５のみを通るので流量が制限され、小流量のみが供給される。
【００４７】
つぎに、第２実施形態の冷却油路制御装置の使用方法を説明する。
図３はプレス運転中を示している。つまり、サーボ制御弁Ｖ１がＩ位置とII位置との間で切換えられて、クランク軸Ａの回転とスライドＳの上下動が繰返されている状態である。
【００４８】
図３に示すようなプレス運転中では、油圧ポンプ５２が冷却油を吐出し、冷却油はクーラー５６で冷却され、第１開閉弁５４を通って、プレス内のクラッチ機構１５とブレーキ機構２０の摩擦板部に供給される。そして、各摩擦板１８，２３（図７参照）を冷却し、ベアリング４１（図７参照）を潤滑したあと帰還油路３９を通ってタンク５１に返されてくる。
【００４９】
上記のように、冷却油を大流量で流しているときは、第２開閉弁５８を開位置Ｉとして、クーラー５６へ冷却水を供給しておくと、冷却油自体の温度を下げることができ、能率よくクラッチ機構１５とブレーキ機構２０の冷却を行うことができる。
【００５０】
図４はプレス停止中を示している。このプレス停止中では、油圧ポンプ５２は冷却油を吐出しているものの、第１開閉弁５４は閉位置IIなので、絞り５５のみを通過する小流量に絞られている。すなわち、プレス停止中に対応する間では冷却油量が小流量になっている状態である。
【００５１】
上記のように、冷却油を小量しか供給してないときは、第２開閉弁５８を閉位置IIとしておけば、クーラー５６への冷却水の供給が止められるので、冷却油の過冷を防止することができる。この第２開閉弁５８の開閉制御は、冷却油温を温度センサで検出し、自動的に開閉するようにしてもよい。
【００５２】
上記のように、本実施形態の冷却油量制御装置では、図５に示すように、メインモータが回転中であったとしても、プレスの運転中と停止中に場合分けして、冷却油量を大小に変更するので、プレス停止中のドラッグトルクはさほど生じないのである。
このように、ドラッグトルクが小さいことから、無駄なエネルギーロスが生じないので、メインモータの容量を小さくして、設備をコンパクトにすることができる。また、フライホイールＦをフル回転させるまでの時間も短くできる。
【００５３】
また、第２実施形態において第１開閉弁５４が閉位置IIにあるとき、絞り５５の絞り量を手動で変えることで冷却油量を微妙に調整することもできる。
このため、外気温の変動等に合わせて必要な冷却油量を確保し、また逆に制限できる。たとえば、冷却油温の検出値に基づき、冷却油温が低いときは粘度が高いため更に流量を絞ってドラッグトルクを低くし、冷却油温が高いときは流量を増やして、高い冷却能率を得ることができる。したがって、夏と冬に合わせて、冷却油供給量を適量に調整することができる。
【００５４】
（第３実施形態）
本実施形態は、冷却油供給源が吐出量可変型のモータ５３および油圧ポンプ５２を用いたものであり、流量制御部が、第１開閉弁５４とこれに並列に接続した絞り５５からなる。したがって、この実施形態では、絞り５５と油圧ポンプ５２の両方によって冷却油供給量を加減することができる。
【００５５】
この実施形態では、プレス運転中は第１開閉弁５４を開弁（Ｉ位置）し油圧ポンプ５２の吐出量を多くすれば、充分な量の冷却油を供給できクラッチブレーキ１０を充分に冷却することができる。
【００５６】
逆に、プレス停止中は第１開閉弁５４を開弁（Ｉ位置）したままで、油圧ポンプ５２の吐出量を絞れば、冷却油量は少量になるので、ドラッグトルクが生じてもわずかでしか生じない。また、油圧ポンプ５２の吐出量を変えないで、第１開閉弁５４を閉弁（II位置）し絞り５５に冷却油を通すことでも、冷却油量を少なくしてドラッグトルクを低減できる。
【００５７】
図示の実施形態では、冷却油路３４に絞り５５を介装しているので、冷却油温が低いときは、絞り５５を通過する流量がかなり減少する。このため、想定される一番低い温度で流量が得られるように、モータ５３の回転数、換言すれば油圧ポンプ５２の吐出量を設定しておくとよい。そうすることで、フライホイールＦを支持するベアリング４１の潤滑も行うことができる。
また、モータ５３の回転数を変えることで、冷却油温の変化にかかわらず、プレス運転中の大流量であろうとプレス停止中の小流量であろうと、必要な油量を正確に確保することができる。
【００５８】
（第４実施形態）
本実施形態は、冷却油供給源が回転数固定型のモータ５３を用いた吐出量固定型の油圧ポンプ５２からなり、流量制御部が第１開閉弁５４のみで構成されている。つまり、絞り５５は省略されている。
この実施形態では、第１開閉弁５４を開弁しておくと、所定量の冷却油をクラッチブレーキ１０に供給でき、プレス運転中の冷却が可能となる。また、第１開閉弁５４を閉弁すると、冷却油の供給は不可能であるが、供給済みの冷却油が摩擦板１８まわりに閉じ込められているので、それ以上流量が増えない状態で、摩擦板１８が回転することになる。よって、プレス停止中のドラッグトルクが大きくなることはない。
【００５９】
また、図４および図５に示すように冷却油がフライホイールＦのベアリング４１を潤滑する構造では、摩擦板１８の周囲の冷却油はしだいに油溜り４２を通じて流出するので、冷却油量が減少していくので、ドラッグトルクもしだいに減少する、また、フライホイールＦのベアリング４１の潤滑を冷却油で兼ねない構造では、第１開閉弁５４を閉位置IIとすると摩擦板１８の周囲には供給済みの冷却油が閉じこめられることになるが、流量増加はなく圧力も低いので、ドラッグトルクが大きくなることはない。
【００６０】
（他の実施形態）
前記第１実施形態において、冷却油路３４に第１開閉弁５４を介装してもよい。常時は第１開閉弁５４を開位置に保持してプレスを運転し、冷却油量の制御は油圧ポンプ５２で加減することは既述のとおりである。
このように改変した実施形態において、油圧ポンプ５２の出側に分岐油路を接続して冷却油を他の機器の冷却や潤滑にも兼用する構成としたときは、他の機器の冷却潤滑を続けながら、クラッチブレーキ１０の保守点検などを行うとき、第１開閉弁５４を閉弁する実益がある。
【００６１】
つぎに、更なる他の実施形態を説明する。
前記実施形態では、冷却油の小量供給時にフライホイールＦのベアリング４１を潤滑しているが、これは任意である。つまり、ベアリング４１の潤滑油を別系統からとるのであれば、本発明の冷却油系統は湿式クラッチブレーキの摩擦板部１８，２３のみの冷却用とすればよい。
この場合の冷却油量は、大流量の場合も小流量の場合も、前記実施形態よりは少なくてすむが、その流量調整は、絞り５５の絞り加減や油圧ポンプ５２の回転数変更で容易に最適値に調整することができる。
【符号の説明】
【００６２】
１０    湿式クラッチブレーキ
１５    クラッチ機構
１８    摩擦板
２０    ブレーキ機構
２３    摩擦板
２４    ブレーキバネ
３４    冷却油路
５２    油圧ポンプ
５３    モータ
５４    第１開閉弁
５５    絞り
５６    クーラー
【図１】
2011038615.tif 000003
【図２】
2011038615.tif 000004
【図３】
2011038615.tif 000005
【図４】
2011038615.tif 000006
【図５】
2011038615.tif 000007
【図６】
2011038615.tif 000008
【図７】
2011038615.tif 000009
【図８】
2011038615.tif 000010
【図９】
2011038615.tif 000011